(57)【要約】      （修正有）【課題】筋肉体質・脂肪体質等体格のいい人等への、身体各部（親指、げんこつ、手根、手掌、肘、膝）を使用しての指圧、整圧、整体、骨格の矯正等の施術における筋肉労働を軽減する矯正器具を提供する。【解決手段】クッション材を取付けた接肌押圧部分と、接肌押圧部分の裏側面に埋め込みナットを有する交換部品を、ハンドルに取り付け用握り付きボルトを用いて固定してなる。握り付きボルトの締め付け又は緩めにより容易に交換部品を取り替えることが出来ることと、握り付きボルトを軸とした回転面における任意の角度で交換部品を固定することが出来る。【選択図】図１
0003161520.tif 000002
【実用新案登録請求の範囲】
【請求項１】
指圧、整圧、整体、骨格の矯正器具であって、ハンドルと取付け用握り付きボルト及び交換部品の組み合わせにより器具を構成し、身体各部の施術を行うことが出来ることを特徴とする器具である。
【請求項２】
指圧、整圧、整体、骨格の矯正器具のうち、ハンドル部品で図１−１．及び図２−１．の形状で、上下・左右の線対称形をなし、握り部分を両手の各親指と人差し指の二股で握ることが出来る形状をなし、交換部品の取付けには、交換部品側の埋め込みナット（５．）へハンドル中央の開口（３．）を通して取付け用握り付きボルト（２．）で締め付け、固定することで器具が形成されることを特徴とする。
【請求項３】
指圧、整圧、整体、骨格の矯正器具のうち、クッション材を取付けた接肌押圧部分が円弧状に窪んだ形状〔図４〕（Ａ）の、取付け用ナットを埋め込み固定した交換部品で、足根骨矯正、舟状骨矯正、股関節矯正、後頭骨矯正、前頭骨矯正、股関節矯正、大腿部前側部（後側部）整圧、三角筋から上腕部整圧の施術に押圧を加えることで治療することを特徴とする。
【請求項４】
指圧、整圧、整体、骨格の矯正器具のうち、クッション材を取付けた接肌押圧部分が円弧状に張り出した形状〔図４〕（Ｂ）の、取付け用ナットを埋め込み固定した交換部品で、立方骨矯正、膝関節矯正、大腿後側下部外旋矯正、大腿後側下部内旋矯正、脛骨、骨頭外旋矯正、脛骨・骨頭内旋矯正、大殿筋・小殿筋整圧、殿部・大腿後側部整圧の施術に押圧を加えることで治療することを特徴とする。
【請求項５】
指圧、整圧、整体、骨格の矯正器具のうち、クッション材を取付けた接肌押圧部分が小ドーム状をした形状〔図４〕（Ｃ）の、取付け用ナットを埋め込み固定した交換部品で、中足骨矯正、足底部整圧、前腕部整圧、仙腸関節調整、殿部・大腿後側部整圧の施術に押圧を加えることで治療することを特徴とする。
【請求項６】
指圧、整圧、整体、骨格の矯正器具のうち、クッション材を取付けた接肌押圧部分が小ドーム状で傾斜した形状〔図４〕（Ｄ）の、取付け用ナットを埋め込み固定した交換部品で、仙腸関節調整（上部、下部）の施術に押圧を加えることで治療することを特徴とする。
【請求項７】
指圧、整圧、整体、骨格の矯正器具のうち、クッション材を取付けた接肌押圧部分が緩やかなドーム状をした形状〔図４〕（Ｅ）の、取付け用ナットを埋め込み固定した交換部品で、腰部、大腿後側部整圧、前腕部整圧、足底部整圧の施術に押圧を加えることで治療することを特徴とする。
【請求項８】
指圧、整圧、整体、骨格の矯正器具のうち、クッション材を取付けた接肌押圧部分が二股状をした形状〔図４〕（Ｆ）の、取付け用ナットを埋め込み固定した交換部品で、頚椎調整（整圧）、肩甲間部整圧、上部（下部）胸椎矯正の施術に押圧を加えることで治療することを特徴とする。
【請求項９】
指圧、整圧、整体、骨格の矯正器具のうち、クッション材を取付けた接肌押圧部分が変形二股状をした形状〔図４〕（Ｇ）の、取付け用ナットを埋め込み固定した交換部品で、仙腸関節調整（腸骨側）の施術に押圧を加えることで治療することを特徴とする。
【請求項１０】
指圧、整圧、整体、骨格の矯正器具のうち、クッション材を取付けた接肌押圧部分が短い小ドームで棒状をした形状〔図４〕（Ｈ）の、取付け用ナットを埋め込み固定した交換部品で、腰椎下部の左右回旋の矯正、上部胸椎の左右回旋の矯正、腹部整圧、烏口突起整圧、烏口突起矯正の施術に押圧を加えることで治療することを特徴とする。
【考案の詳細な説明】
【技術分野】
【０００１】  本考案は、指圧、整圧、整体、骨格の矯正器具に関するものである。
【背景技術】
【０００２】  従来の指圧、整圧、整体、骨格の矯正は、受者の身体的不具合部分へ、施術者が自身の身体各部（親指、げんこつ、手根、手掌、肘、膝）を使用して、押圧・牽引・回転を加えることにより、施術を行ってきた。また、施術の方法改善として、手および指先その他に替わる器具の考案があり、木槌で殴打する方法のものや、両手握り形状、片手握り形状の器具が考案されている。
【先行技術文献】
【特許文献】
【０００３】
【特許文献１】実用新案登録番号  第３０２４９８４号  広報
【非特許文献】
【０００４】
【非特許文献１】「正体法−矯正と緩解」高木幹市著による書籍、エンタプライズ株式会社発行、１９９８年３月３０日発行、Ｐ１６
【考案の概要】
【考案が解決しようとする課題】
【０００５】  指圧、整圧、整体、骨格の矯正の施術を受ける人のなかには、筋肉体質・脂肪体質等体格のいい人があり、このような人へ施術を行うことは、過大な力仕事であり、また不自然な体勢での力仕事のため、多くの人へ施術を施した場合、疲労が蓄積するだけでなく手の親指の腱鞘炎、その他の体調不良になることがある、この重労働を軽減することが課題である。
【課題を解決するための手段】
【０００６】  指圧、整圧、整体、骨格の矯正器具における交換部品を、施術部位に応じて交換し使用することによりこの課題を解決することができる。
【考案の効果】
【０００７】  従来の指圧では、左右の手または指先で個別に、または同時に押圧をかけており、施す力として、分散されたものであったが、本考案の器具では、施術者の両手および全身の力が一点に集中するため、効果的な押圧を受者に施すことができる、また力のない人（筋力、体力）、老人、女性で骨格構造と整体の理論を理解できている人ならば、手軽に使用することができ、身体的疲労が少なくなるため、施術への集中力が向上し、さらに持続力を向上させることができる。
【図面の簡単な説明】
【０００８】
【図１】本考案に係る指圧、整圧、整体、骨格の矯正器具の一実施例をあらわす説明図であり、クッション材を取付けた接肌押圧部分が円弧状に窪んだ形状の交換部品を、ハンドルへ、取付け用握り付きボルトの締め付けにより、取り付けた状態の詳細を示す図である。
【図２】クッション材を取付けた接肌押圧部分が円弧状に窪んだ形状の交換部品を例にとり、各部分の詳細を示す図である。
【図３】クッション材を取付けた接肌押圧部分が二股状をした形状の交換部品をハンドルに取り付けた器具を例にとり、受者の側面から行う施術の状況を示す図である。
【図４】交換部品８種類の各形状を示す図である。
【符号の説明】
【０００９】１．ハンドル
２．取付け用握り付きボルト
３．交換部品取付け用ボルトの貫通開口
４．クッション材
５．取付け用埋め込みナット
６．交換部品
【考案を実施するための形態】
【００１０】  以下、添付図面に基づいて本考案に係る指圧、整圧、整体、骨格の矯正器具の実施例について説明する。
【００１１】  図１及び図２のハンドルは、上下・左右の線対称形で、握り部分を両手の各親指と人差し指の二股で握ることが出来る形状とし、交換部品の取付け固定には、交換部品側の埋め込みナット（５．）へハンドル中央の開口（３．）を通して取付け用握り付きボルト（２．）で締め付けることで器具が形成されている。
【００１２】  図３は、クッション材を取付けた接肌押圧部分が二股状をした形状の、取付け用ナットを埋め込み固定した交換部品を取り付け、下部胸椎矯正の施術に押圧を加える施術を行っているものである。
【００１３】  図４は、ハンドルと取付け用握り付きボルトとを組み合わせて使用する交換部品であり、身体各部の施術を行なえるための形態である。
【図１】
0003161520.tif 000003
【図２】
0003161520.tif 000004
【図３】
0003161520.tif 000005
【図４】
0003161520.tif 000006
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
クッション材を取付けた接肌押圧部分と、接肌押圧部分の裏側面に埋め込みナットを有する交換部品を、ハンドルに取り付け用握り付きボルトを用いて固定してなる、指圧、整圧、整体、骨格の矯正器具であって、握り付きボルトの締め付け又は緩めにより容易に交換部品を取り替えることが出来ることと、握り付きボルトを軸とした回転面における任意の角度で交換部品を固定することが出来ることを特徴とする、指圧、整圧、整体、骨格の矯正器具。
【請求項２】
前記のハンドルは、厚みをもった板状で、平面形の上下及び左右が線対称形をなし、両端握り部分の裏面には材に厚みと４ヶ所の円弧状切り欠き部分をなし、この両端切り欠き部分を両手の各親指と人差し指の二股部分で握り、材端の厚みを持たせた部分を残る両手の各３指で握ることが出来る形状をなし、ハンドル中央にはボルト貫通用の穴を設け、取付け用握り付きボルトをこの穴に通して交換部品側の埋め込みナットへ締め付け、握り付きボルトを軸とした回転面における任意の角度で交換部品を固定することが出来ることを特徴とする、請求項１に記載の指圧、整圧、整体、骨格の矯正器具のハンドル。
【請求項３】
前記の交換部品の内一は、足根骨矯正、舟状骨矯正、股関節矯正、後頭骨矯正、前頭骨矯正、股関節矯正、大腿部前側部整圧、大腿部後側部整圧、三角筋から上腕部整圧に押圧を加えることで治療するための器具として、クッション材を取付けた接肌押圧部分の断面は円弧状に窪んだ形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項４】
前記の交換部品の内二は、立方骨矯正、膝関節矯正、大腿後側下部外旋矯正、大腿後側下部内旋矯正、脛骨・骨頭外旋矯正、脛骨・骨頭内旋矯正、大殿筋・小殿筋整圧、殿部・大腿後側部整圧の施術に押圧を加えることで治療するための器具として、クッション材を取付けた接肌押圧部分の断面は円弧状に張り出した形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項５】
前記の交換部品の内三は、中足骨矯正、足底部整圧、前腕部整圧、仙腸関節調整、殿部・大腿後側部整圧の施術に押圧を加えることで治療するための器具として、クッション材を取付けた接肌押圧部分の断面はカマボコ型にした形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格矯正器具の交換部品。
【請求項６】
前記の交換部品の内四は、仙腸関節上部の調整、仙腸関節下部の調整の施術に押圧を加えることで治療するための器具として、クッション材を取付けた接肌押圧部分の断面はカマボコ型にした形で、その頂稜部分は傾斜をなし、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項７】
前記の交換部品の内五は、腰部、大腿後側部整圧、前腕部整圧、足底部整圧の施術に押圧を加えることで治療するための器具として、クッション材を取付けた接肌押圧部分の断面はカマボコ型をした形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項８】
前記の交換部品の内六は、頚椎調整、頚椎整圧、肩甲間部整圧、上部胸椎矯正、下部胸椎矯正の施術に押圧を加えることで治療するための器具として、クッション材を取付けた接肌押圧部分は同形二個の平らな長方形で両端にあり、二個の接肌押圧部分を隔てる部分は窪んだ形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項９】
前記の交換部品の内七は、仙腸関節調整、仙腸関節腸骨側調整の施術に押圧を加えることで治療するための器具として、クッション材を取付けた接肌押圧部分は異形二個の平らな長方形で両端にあり、この二個の平らな接肌押圧部分は取り付けボルトの軸方向で段差があり、二個の接肌押圧部分を隔てる部分は窪んだ形で、この接肌押圧部分の裏側面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。
【請求項１０】
前記の交換部品の内八は、腰椎下部の左右回旋の矯正、上部胸椎の左右回旋の矯正、腹部整圧、烏口突起整圧、烏口突起矯正の施術に押圧を加えることで治療するための器具として、正方形断面棒状の材先端にクッション材を取付けた接肌押圧部分の断面がカマボコ型に張り出した形で、この接肌押圧部分の棒状反対端面に埋め込みナットを取り付けた形状をなし、ハンドルと握り付きボルトを軸とした回転面における任意の角度で交換部品を固定することが出来ることを特徴とする、請求項１に記載の指圧、整圧、整体、骨格の矯正器具の交換部品。